【事件の表示】
　特許第３３２１６４４号「パチンコ機」の請求項１ないし３に係る特許に対する特許異議の申立てについて、次のとおり決定する。
【結　論】
　訂正を認める。
　特許第３３２１６４４号の請求項１ないし３に係る特許を取り消す。
【理　由】
１．手続の経緯
　
　特許第３３２１６４４号の請求項１〜３に係る発明についての出願は、平成２年６月８日にされた特許出願（特願平２−１５０８５４号）の一部が、特許法第４４条の規定により新たな出願（特願平９−１６６６１３号）とされ、更にその一部が新たな出願（特願平１１−１５２４７５号）とされたものであって、平成１４年６月２８日にその発明について特許の設定登録がなされ、その後、その特許について、異議申立人細江裕実により特許異議の申立てがなされ、取消しの理由が通知され、その指定期間内である平成１７年８月５日に訂正請求がなされ、同年９月１３日付で特許異議申立人より上申書が提出されたものである。
　
２．訂正の適否についての判断
　
ア．訂正の内容
（ａ）訂正事項ａ．
特許請求の範囲を、
「【請求項１】入賞口への入賞球に基づく賞球および球貸スイッチの操作に基づく貸出球の排出装置を作動させる本体制御装置と、前記球貸スイッチを電気的に接続し、カードの残高を確認するリードライター制御装置とを、該両装置間で互いに交信し、貸出球の排出を行うように電気的に接続したパチンコ機であって、
前記本体制御装置は、前記リードライター制御装置からの前記球貸スイッチの操作に基づいて、前記カードの残高があることを条件として出力される球貸要求信号を受信することにより、前記リードライター制御装置にビジー信号を送信すると共に貸出球の排出を行い、
排出終了後、ビジー信号を停止させ、前記球貸要求信号が受信されていれば、貸出球の排出処理を繰り返し、
前記球貸要求信号の発生が無いときに前記賞球の排出処理を行なうようにしたことを特徴とするパチンコ機。
【請求項２】本体制御装置とリードライター制御装置とは、ＣＰＵ及びプログラムを記憶したＲＯＭを備えていることを特徴とする請求項１記載のパチンコ機。
【請求項３】貸出球はパチンコ機の背面に設けられている上タンクより排出されることを特徴とする請求項１または請求項２記載のパチンコ機。」
と訂正する。
　
（ｂ）訂正事項ｂ．
発明の詳細な説明中段落【０００７】を
「【０００７】
【課題を解決するための手段】
　上記目的を達成するために、請求項１のパチンコ機の発明は、入賞口への入賞球に基づく賞球および球貸スイッチの操作に基づく貸出球の排出装置を作動させる本体制御装置と、前記球貸スイッチを電気的に接続し、カードの残高を確認するリードライター制御装置とを、該両装置間で互いに交信し、貸出球の排出を行うように電気的に接続したパチンコ機であって、前記本体制御装置は、前記リードライター制御装置からの前記球貸スイッチの操作に基づいて、前記カードの残高があることを条件として出力される球貸要求信号を受信することにより、前記リードライター制御装置にビジー信号を送信すると共に貸出球の排出を行い、排出終了後、ビジー信号を停止させ、前記球貸要求信号が受信されていれば、貸出球の排出処理を繰り返し、前記球貸要求信号の発生が無いときに前記賞球の排出処理を行なうようにしたことを特徴とする。」
と訂正する。
　
（ｃ）訂正事項ｃ．
発明の詳細な説明中段落【００１８】を、
「【００１８】
　また、リードライター制御装置５ｂは主要のｃｐｕがＲＯＭに書き込まれたプログラムにより作動し、球貸スイッチ４１、カードの取出スイッチ４２および枠開放検出スイッチ２５のオン・オフ信号の入力やカードリードライター５ａからの情報を受信してカードリードライター５ａ、カード搬送装置３９および金額の表示装置４０を作動させるものである。一方また、本体制御装置３７に球貸要求信号（ＢＢコール）を送信することによって本体制御装置３７からビジー信号、残金減算要求信号（残金信号）および球貸記憶減算要求信号（後述する球貸記憶数の減算を要求する信号）が返信されこれら総入力信号に基づきカードリードライター５ａ、カード搬送装置３９および金額の表示装置４０を作動させる。」
と訂正する。
　
（ｄ）訂正事項ｄ．
発明の詳細な説明中段落【００２１】を、
「【００２１】
　ステップ５では取出スイッチ４２の作動を判別し、イエスであれば（作動している場合）後述するステップＢ１（図８）に進み、ノウ（作動していない場合）であれば次のステップ６に進み球貸スイッチ４１が作動しているかを判定する。そして、ステップ６の判定がイエスであればステップ７に進み枠開放検出スイッチ２５が作動しているかどうかを判定する。ガラス枠１８等が閉じた状態（ノウ）であれば球貸出しの条件が整うので、球貸記憶の記憶数（球貸記憶の数値、すなわち球貸記憶数、当初は０）を加算するステップ８を通ってステップＡ１（図７）へ進む。なお、ステップ６において球貸スイッチ４１が作動していないときおよびステップ７においてガラス枠１８等が開放状態であれば球貸記憶の数値は増加しないようにされている。」
と訂正する。
　
（ｅ）訂正事項ｅ．
発明の詳細な説明中段落【００２２】を、
「【００２２】
　次に、本体制御装置３７からの信号の有無と残金の有無をチェックしてＢＢコールを送信する手順を述べる。図７に示すステップＡ１ではビジー信号の受信の有無を判定する。受信していない場合（ノウ）であれば、ステップＡ２において球貸記憶減算要求信号の受信の有無を判定しステップＡ３では残金減算要求信号の受信の有無を判定する。ここで両信号が受信されていなければステップＡ４でカードの金額データの残高の有無を判定する。そして、残高があればステップＡ５において球貸記憶の有無のチェックをする。球貸記憶が有ればステップＡ６において再度ビジー信号を受信しているかどうかを確認し、受信していない（ノウ）のであればステップＡ７においてＢＢコールを発生させる。なお、ステップＡ２において球貸記憶減算要求信号が受信されていればステップＡ８に進み球貸記憶の数値（前記球貸記憶数）を１減算してステップＡ３に合流する。」
と訂正する。
　
（ｆ）訂正事項ｆ．
発明の詳細な説明中段落【００２４】を、
「【００２４】
　図８に示すように、先ず、ＢＢコールが発生しているかをここで判定する。発生していなければそのまま進むがもし有ればステップＢ２でＢＢコールを停止させ次に進む。ステップＢ３ではビジー信号を受信しているかをチェックし受けていれば待機状態になり、そうでなければステップＢ４で球貸記憶減算要求信号の有無を判定し無ければそのまま次へ進むが有ればステップＢ５で球貸記憶の数値（前記球貸記憶数）を１減算し、ステップＢ６で球貸記憶の数値（前記球貸記億数）が０であることを確認し、もし記憶数が有るならばステップＢ７において球貸記憶の数値（前記球貸記憶数）をクリアする。次に、残金減算要求信号が受信されている場合（ステップＢ８）、減算処理をして（ステップＢ９）結果をカードに書き込み（ステップＢ１０）、図６に示すステップ９によりカードを排出する。」
と訂正する。
　
（ｇ）訂正事項ｇ．
発明の詳細な説明中段落【００２５】を、
「【００２５】
　一方、図７に示すステップＡ４で残金データが０になったことを判定すると、カードに残金０のデータを書き込み（図８ステップＢ１０）、球貸記憶の記憶数（前記球貸記憶数）が０以外であればその数値をクリアし（図示せず）、図６に示すステップ９によりカードを排出する。」
と訂正する。
　
（ｈ）訂正事項ｈ．
発明の詳細な説明中段落【００２９】を、
「【００２９】
　なお、ステップ７はパチンコ機１を修理するためなどでガラス枠１８等を開放しているときに、作業者が誤って球貸し操作を行ってしまっても球貸しがされないように回路を制御したもので、この働きは、ガラス枠１８等の開放が検出された場合にはカードを排出するようにしても良く、枠開放時に球貸出し機能を停止させるものであれば何でも良い。また、本実施例ではカードを挿入した後、カードは残額が０になるか（ステップＡ４参照）または取出スイッチ４２が操作されるか（ステップ５参照）するまでカードリードライター５ａ内に保持されたままであるが、玉貸し操作ごとに排出するようにしても良い。」
と訂正する。
　　
イ．訂正の目的の適否、新規事項の有無、及び拡張・変更の存否
　
  上記訂正事項（ａ）は、訂正前明細書の記載に基き、
請求項１の「賞球」を「入賞口への入賞球に基づく賞球」に、「貸出球」を「球貸スイッチの操作に基づく貸出球」に、「球貸スイッチを電気的に接続したリードライター制御装置」を「球貸スイッチを電気的に接続し、カードの残高を確認するリードライター制御装置」に、「球貸しスイッチの操作に基づいて出力する球貸要求信号」を「球貸スイッチの操作に基づいて、前記カードの残高があることを条件として出力される球貸要求信号」に、訂正するもので、これらは、訂正前の請求項１の「賞球」「貸出球」「リードライター制御装置」及び「球貸要求信号」を更に限定したものであり、また「球貸要求信号が受信されている間、貸出球の排出処理を繰り返し、」を「球貸要求信号が受信されていれば、貸出球の排出処理を繰り返し、」に訂正するものは不明瞭な記載の釈明を目的とするものであって、願書に最初に添付された明細書及び図面に記載した事項の範囲内のものであり、実質上特許請求の範囲を拡張しまたは変更するものではない。
　
　また、上記訂正事項（ｂ）は、上記訂正に伴い、これらと整合を図るために、発明の詳細な説明を訂正するものであるから、明りょうでない記載の釈明を目的とするものであり、上記訂正事項（ｃ）〜（ｇ）は、「球貸記憶数」についての、明りょうでない記載の釈明を目的とするものであって、これらは、願書に最初に添付された明細書及び図面に記載されていた事項である。
更に、（ｈ）は明らかな誤記の訂正である。
　
ウ．むすび
　したがって、上記訂正は特許法等の一部を改正する法律（平成６年法律第１１６号。以下「平成６年改正法」という。）附則第６条第１項の規定によりなお従前の例によるとされる、平成１１年改正前の特許法第１２０条の４第３項で準用する平成６年改正法による改正前の特許法第１２６条第１項ただし書、第２項及び第３項の規定に適合するので、当該訂正を認める。
　
３．特許異議の申立についての判断
　
（１）「本件発明」
　上記２．で示したように上記訂正が認められるから、本件の請求項１〜３に係る発明（以下、それぞれ「本件発明１」〜「本件発明３」という。）は、上記訂正に係る訂正明細書の特許請求の範囲の請求項１〜３に記載された次の事項により特定されるとおりのものである。
　
「【請求項１】入賞口への入賞球に基づく賞球および球貸スイッチの操作に基づく貸出球の排出装置を作動させる本体制御装置と、前記球貸スイッチを電気的に接続し、カードの残高を確認するリードライター制御装置とを、該両装置間で互いに交信し、貸出球の排出を行うように電気的に接続したパチンコ機であって、前記本体制御装置は、前記リードライター制御装置からの前記球貸スイッチの操作に基づいて、前記カードの残高があることを条件として出力される球貸要求信号を受信することにより、前記リードライター制御装置にビジー信号を送信すると共に貸出球の排出を行い、排出終了後、ビジー信号を停止させ、前記球貸要求信号が受信されていれば、貸出球の排出処理を繰り返し、前記球貸要求信号の発生が無いときに前記賞球の排出処理を行なうようにしたことを特徴とするパチンコ機。
　
【請求項２】本体制御装置とリードライター制御装置とは、ＣＰＵ及びプログラムを記憶したＲＯＭを備えていることを特徴とする請求項１記載のパチンコ機。
　
【請求項３】貸出球はパチンコ機の背面に設けられている上タンクより排出されることを特徴とする請求項１または請求項２記載のパチンコ機。」
　
第１引用例：
特開昭６３−１０２７８３号公報（特許異議申立における甲第２号証）
　
第２引用例（周知例）：
実願昭６２−１５４１４６号（実開平１−５９１８３号）のマイクロフィルム）
　
第３引用例：
　特開平１−２２１１８７号公報（特許異議申立における甲第５号証）
　
第４引用例：
　特開平１−２８０４８９号公報（特許異議申立における甲第１号証）
　
第５引用例：
　特開平１−１２１９２１号公報（特許異議申し立てにおける甲第１０号証）
　
第６引用例：
　特開平１−１４２９２４号公報（特許異議申し立てにおける甲第１１号証）
　
（２−１）「第１引用例」
　当審が平成１７年６月１日付けで通知した取消の理由（以下「取消理由」という）で刊行物２として引用した特開昭６３−１０２７８３号公報（特許異議申立における甲第２号証、以下「第１引用例」という）には、図面とともに、次の事項が記載されている。）
　
（記載１．）「カード挿排口とカード読取装置と金額表示器を少なくとも有する球貸機能部をパチンコ機或いはその近傍に配設し、該球貸機能部の少なくともカード読取装置と金額表示器を電気的制御装置に接続するとともに、該電気的制御装置を当該パチンコ機の球排出装置の制御装置に接続し、上記球貸機能部のカード挿排口にカードが挿入され、或いは遊技中における入賞にもとづいて上記球排出装置を作動して球を当該パチンコ機前面の受皿に排出するようにしたことを特徴とするパチンコ機のカード式球貸機構。」（第１頁左下欄「特許請求の範囲」）
　
（記載２．）「＜従来の技術＞　周知のように、従来の球貸機は、硬貨投入口と球排出装置を少なくとも有し、パチンコ機とパチンコ機との間に設置したり、或いはパチンコ機とは全く別個に設置されている。また、賞品球として遊技者にパチンコ球を払い出すための球排出装置はパチンコ機の裏側に設置されており、球貸機として遊技者にパチンコ球を貸し出すための球排出装置は球貸機の裏側に設置されており、この様に２つの球排出装置が必要であった。」（第1頁右下欄第４−１３行）
　
（記載３．）「本発明は上記に鑑み提案されたもので、カード挿排口とカード読取装置と金額表示装置を少なくとも有する球貸機能部をパチンコ機或いはその近傍に配設し、該球貸機能部の少なくともカード読取装置と金額表示器を電気的制御装置に接続するとともに、該電気的制御装置を当該パチンコ機の球排出装置の制御装置に接続したものである」（第２頁左上欄第１−７行）
　
（記載４．）「各球貸機能部２の電気的制御装置（図示せず）を対応するパチンコ機の球排出装置４の制御装置（図示せず）に電気的に接続するとともに、伝送路５を介して管理室内に設置してある中央管理装置（図示せず）に電気的に接続する。　球貸機能部２は、前面に上から球貸出中表示器６、カード挿排口７、金額表示器８、アラーム表示器９、金額選択操作部１０を設け、内部にはカード読取装置１１と上記電気的制御装置を設け、該電気的制御装置にカード読取装置１及び上記した球貸出中表示器６，金額表示器８，アラーム表示器９，金額選択操作部１０等を電気的に接続してある。」（第２頁右上欄第１−１４行）
　
（記載５．）「遊技者がカード発行機に投入した貨幣の金額は、本実施例ではカードに書き込んだカード識別情報に対応させて中央管理装置の記憶部内に記憶されるように構成してある。したがって、遊技者がカード発行機に貨幣を投入し、所望する金額を選択釦等により選択すると、中央管理装置の記憶装置内に当該選択した金額がカード識別情報とともに記憶され、カード発行機からは上記カード識別情報が書き込まれたカード２１が排出される。遊技者はこのカード２１を取得して自分の好みのパチンコ機１を選択し、当該パチンコ機１の球貸機能部２のカード挿排口７にカード２１を挿入する。」（第２頁左下欄第１７行−右下欄第１０行）
　
（記載６．）「電気的制御装置は、中央管理装置からのデータ要求信号が当該パチンコ機１の自局アドレスと一致すると、自局アドレスにカード２１のカード識別情報を付加して中央管理装置に送る。中央管理装置は、当該パチンコ機１からの信号を受信すると、記憶装置内のカード識別情報を検索し、一致した場合にはそのカード識別情報に対応した記憶内容、即ちそのカード２１の残高を読み出して上記パチンコ機１に送る。中央管理装置からそのカード２１の残高を受信すると、電気的制御装置が金額表示器８にその金額を表示する。遊技者が金額表示器８の表示を確認し、金額選択操作部１０を操作することにより所望する金額を選択すると、電気的制御装置が当該パチンコ機１の球排出装置４を作動して、遊技者が選択した金額に対応した数量の球を該パチンコ機１前面の受皿２５に排出させる。」（第３頁左上欄第１１行−右上欄第７行）
　
（記載７．）「この様にして遊技者の所望する金額分の球が受け皿２５に排出されると、これに伴って電気的制御装置の演算手段が作動し、排出した球に相当する金額を減算し、残高を金額表示器８に表示する。また、この残高は、中央管理装置に送られ、当該カード２１のカード識別情報と共に記憶装置内に記憶される。」（第３頁右上欄第１８−左下欄第４行）
　
（記載８．）「また、上記した球排出装置４は、遊戯中に打球が入賞口に入る等して入賞態様が形成されると、電気的制御装置からの信号を受けて作動し、入賞態様に対応する数、例えば１３個の球を流下し、受け皿２５に賞球として排出する。このように、本発明においては、球貸出排出と賞球排出とを１つの排出装置４で行うようにした。」（第３ページ右下欄第７−１４行）
　
（記載９．）「また、カード挿排口７に挿入したカード２１の残額が零になった場合、パンチ装置１６によりカード２１の情報書込部２２にパンチ穴を明け、情報書込部２２の解読を不能にして不正行為の防止を図ることが望ましい。」（第４頁左上欄第１−５行）
（記載１０．）「遊技者がカード挿排口７にカード２１を挿入すると、金額表示器８に当該カード２１の残高が表示され、この金額の範囲内で金額選択操作部１０を操作すると、パチンコ機１の球排出装置４が作動して、選択した金額に対応する数の球が受皿２５に排出される。」（第４頁左上欄第１５−２０行）
　
（記載１１．）「第１１に示す第３の実施例は、パチンコ機１の前面枠３７の表面左側に球貸機能部２を配設したものである。この様に、球貸機能部２をパチンコ機１自体に設けると、パチンコ機１とパチンコ機１との間隔を従来よりも縮小することができるので、パチンコ店のスペースを有効に利用することができる。」（第４頁右上欄第１１−１７行）
　
（記載１２．）「本発明は、パチンコ機が有する球排出装置を作動して遊技球を受皿に排出するようにしたので、球貸用の球排出装置を別個に設ける必要がなくなり設備の合理化を図ることができるし、また借り出した球をその都度球貸機から受皿に移し替える煩雑さを解消することができる。」（第４頁左下欄第１６行−右下 欄第１行）
　
以上の記載によれば、「第１引用例」には、次の発明（以下「引用発明」という）が開示されていると認めることが出来る。
「パチンコ機の近傍に配設した球貸機能部が球貸中表示器とカード挿排口と金額表示器とアラーム表示器と金額選択操作部とを有し、球貸機能部の内部にはカード読み取り装置と電気的制御装置を設け、該電気的制御装置にはカード読み取り装置、玉貸出中表示器、金額表示装置、アラーム表示器及び金額選択操作部が電気的に接続されており、パチンコ機の排出装置の制御装置に該電気的制御装置が接続されたパチンコ機であって、カードの残高が金額表示装置に表示され、カードの残額がゼロになった場合、情報書き込み部の解読を不能にして不正行為の防止を図り、表示された残高金額の範囲内で金額選択操作部を操作することにより所望する金額を選択すると、電気的制御装置はパチンコ機の球排出装置の制御装置を経由して排出装置を作動して、選択した金額に対応した数量の球をパチンコ機前面の受皿に排出させ、遊戯中に打球が入賞口に入る等して入賞態様が形成されると排球装置４が賞球を排出する、球貸出排出と賞球排出とを１つの排出装置で行うようにしたものであり、球貸用の球排出装置を別個に設ける必要がなくなり設備の合理化を図ることができるパチンコ機。」
　
（２−２）「第２引用例」
　また、周知例としての実願昭６２−１５４１４６号（実開平１−５９１８３号）のマイクロフィルム（以下「第２引用例」という）には、図面と共に次の事項が記載されている。
　
（記載１３．）「本考案は、プリペイドカードを媒体としてパチンコ玉の貸出しを行うカード式球貸し機に関する。」（第２頁第１、２行）
　
（記載１４．）「カードリーダＣＰＵは、磁気ヘッド２９を作動させ、移動中のプリペイドカード５０の磁気ストライプ部５２より該カード発行時に発券機６を用いて予め磁気記憶させておいた発行年月日、店番号、発券番号データを読み込み（ステップＳ７）、これらの磁気データが正常であるか否かをデコーダ等を介して確認し（ステップＳ８）、異常が認められれば後に述べる返却処理（ステップＳ１５）を実行してこのプリペイドカード５０を返却する。又、磁気データに異常が認められなければ、次に、発行年月日、店番号、発券番号データをサンド制御ＣＰＵに送信する（ステップＳ９）。　・・・　・・・サンド制御ＣＰＵは、受信した発行年月日、店番号を、ステップ５３で記憶した正規の年月日、店番号と比較し（ステップＳ５７）、このプリペイドカード５０が有効期限内のものであり、かつ、当該パチンコ店で発行されたものであるか否かを判別して該カード５０の有効性を確認する。・・・　・・・正常なものであれば・・・　・・・該島コンピュータ２に送信する（ステップＳ５９）。・・・　・・・島コンピュータ２は、ホストコンピュータ３のポーリングシーケンスに基づいてこの発券番号をホストコンピュータ３に送信する（ステップＳ１０６）。ステップＳ１５３で発券番号を受信したホストコンピュータ３は・・・　・・・自己のメモリを検索して、該発券番号に対応する残度数データを読み出して記憶し（ステップＳ１５６）、先程の島コンピュータ２にこの残度数を送信し（ステップＳ１５７）、ポーリングを再開する。ステップＳ１０７で残度数を受信した島コンピュータ２は、先程のサンド制御ＣＰＵにこの残度数を送信し（ステップＳ１０８）、サンド制御ＣＰＵのポーリングを再開する。・・・サンド制御ＣＰＵは、残度数表示窓４４に確認された残度数を表示して（ステップＳ６１）、カード利用者に残度数を明示し、度数選択スイッチ４５〜４７によって利用者がパチンコ玉貸出し度数を入力するのを待機する。」（第２０頁第１４行−第２３頁第９行）
　
（記載１５．）「指定された貸出し度数が残度数を超えていなければ、度数選択スイッチによって指定された貸出し度数を玉貸し回数記憶レジスタＲ１に記憶し（ステップＳ６６、ステップＳ６８、ステップＳ７０）、又、指定された玉貸し度数が残度数を超えていれば、全残度数を玉貸し回数記憶レジスタＲ１に記憶してこれらの値を玉貸し回数とするので（ステップＳ７１）、残度数が５未満であれば、度数選択スイッチ４７（度数５）を押下することにより、全残度数を玉貸し回数とすることができる。」（第２４頁第１−１１行）
　
（記載１６．）「第８図に示される玉払出し処理において、サンド制御ＣＰＵは、まず、玉計測部３９に設けられた玉貸出しソレノイドを作動させ（ステップＳ２０１）、パチンコ玉の貸出しを開始し、玉計測部３９に設けられた玉貸出し確認スイッチがＯＮとなるまで玉貸出しソレノイドの作動状態を保持する（ステップＳ２０２）。そして、玉貸出し確認スイッチがＯＮとなると、１度数に対応するパチンコ玉の貸出しが終了するので、玉貸出しソレノイドをＯＦＦとして（ステップＳ２０３）、玉貸し回数記憶レジスタＲ１から１を減じ（ステップＳ２０４）、次にレジスタＲ１の値が０であるか否かを判別し（ステップＳ２０５）、０でなければ再びステップＳ２０１に復帰して１度数に対応するパチンコ玉の貸出しを実行し、ステップＳ２０５でレジスタＲ１の値が０となり、玉貸し回数が設定値に達するまでステップＳ２０１−ステップＳ２０２−ステップＳ２０３−ステップＳ２０４−ステップＳ２０５−ステップＳ２０１の処理を繰り返し、一連の動作として玉の貸出しを実行する。」（第２６頁第１３行−第２７頁第１３行）
　
（２−３）「第３引用例」
　また、取消理由で刊行物５として引用した特開平１−２２１１８７号公報（特許異議申し立てにおける甲第５号証、以下「第３引用例」という）には、図面と共に次の事項が記載されている。
　
（記載１７．）「本発明は、所定の遊技用情報が記憶された遊技券を利用して遊技を行なうようにしたパチンコ台を管理するためのパチンコ台管理システム、特には上記のようなパチンコ台の打止状態の管理を行なうためのパチンコ台管理システムに関する。」（第１頁右下欄第１１−１５行）
　
（記載１８．）「第３図には前記発券機６の正面外観が示されている。この第３図において、２２は紙幣を挿入するための挿入口、２３は硬貨を投入するための投入口、２４は金額表示部で、この金額表示部２４は、挿入口２２及び投入口２３を介した投入金額の合計をデジタル表示するように構成されている。２５，２６，２７．２８は後述する遊技券２９に記憶させる金額情報ＭＤを入力するための選択ボタンで、これらには夫々例えば「５００（円）」、「１０００（円）」、「２０００（円）」、「３０００（円）」の各表示が施されている。」（第４頁左下欄第２０行−右下欄第１０行）
　
（記載１９．）「第５図には、遊技制御装置５を構成する各要素及びパチンコ台１並びに球貸機３５の配置関係が示されており、以下これについて説明する。
　即ち、球貸機３５は、２台ずつのパチンコ台１の各間に夫々と隣接するように配置された所謂台間球貸機として構成されたもので、隣接するパチンコ台１に夫々対応した遊技制御装置５によって制御されるようになっている。斯かる球貸機３５には、その前面にパチンコ玉放出口３６、例えば赤色ＬＥＤより成る異常表示灯・・・・・・遊技制御装置５により後述のように指令された数のパチンコ玉をパチンコ玉放出口３６から放出するように構成されている。」（第７頁左上欄第１３行−右上欄第１１行）
　
（記載２０．）「遊技制御装置５は、パチンコ台１の上方位置に一列状に配置されたカード挿入口３９、カード返却スイッチ４０ａ、例えば３個のセレクトスイッチ４０ｂ〜４０ｄ及び残高表示部４１を有すると共に、内部には第６図に示すような回路要素が設けられている。尚、上記セレクトスイッチ４０ａ、４０ｂ、４０ｃには、夫々に対応して例えば「１００円」「２００円」「４００円」の各表示が施されている。」（第７頁右上欄第１２−２０行）
　
（記載２１．）「第６図において、４２は打止解除手段としても機能する球貸制御回路であり、これはマイクロコンピュータを含んで構成されている。また、４３はカード挿入句値３９に挿入された遊技券２９を挿入状態に保持したり或は返却するためのカード出し入れ装置、４４は挿入された遊技券２９の記憶情報を読み込むためのカードリーダ、４５は上記遊技券２９の記憶情報を書換えるためのカードライタ、」（第７頁左下欄第１−９行）
　
（記載２２．）「以下においては第７図に示された遊技制御装置５の機能の大略について説明する。即ち、まずカード挿入口３９に遊技券２９が挿入された否かを判断し（ステップＢ１）、遊技券２９が挿入されるまで待機する。・・・　・・・遊技券２９が挿入されたときには、遊技券２９を挿入状態に保持すると共に、その遊技券２９に記憶された情報を読み取る（ステップＢ２、Ｂ３）。・・・その遊技券を返却し（ステップＢ５）・・・　・・・「ＮＯ」と判断した場合には遊技券２９を返却する前記ステップＢ５を経てステップＢ１へ戻る。・・・　・・・ステップＢ７で「ＮＯ」と判断した場合、つまりパチンコ台１が遊技可能な状態にある場合には、前記ステップＢ３で読み取った遊技券２９の金額情報ＭＤに基づいて、その情報ＭＤに対応した残高金額を残高表示部４１に表示させる（ステップＢ８）。次いで、上記残高金額があるか否かを判断し（ステップＢ９）、残高金額つまり金額情報ＭＤが零であった場合には、前記ステップＢ５を経てステップＢ１へ戻る。」（第７頁右下欄第１行−第８頁左上欄第１７行）
　
（記載２３．）「また、カード返却スイッチ４０ａがオンされることなくセレクトスイッチ４０ｂ〜４０ｄの何れかがオン操作されたときには、遊技券２９に記憶された金額情報ＭＤを所定金額分減額するように書換え（ステップＢ１２）、玉貸機３５内の図示しないパチンコ玉供給機構に対して上記減額金額に相当した数のパチンコ玉を放出するように指令を与える（ステップＢ１３）。」（第８頁右上欄第４−１１行）
　
（記載２４．）「尚、２台の遊技制御装置５に対応した設けられた玉貸機３５は、一方の遊技制御装置５からの指令によってパチンコ玉の放出を行なっているときには、他方の遊技制御装置５に対してビジー信号Ｓｂ（第６図参照）を出力するようになっており、遊技制御装置５にあっては上記ビジー信号Ｓｂが消失するまでパチンコ玉放出指令の出力を待機するようになっている。」（第９頁左上欄第２−１０行）
　
（２−４）「第４引用例」
　また、「取消理由」で「刊行物１」として引用した特開平１−２８０４８９号公報（特許異議申立における甲第１号証）（以下「第４引用例」という）には、以下の記載がある。
　
（記載２５．）「本発明はパチンコ遊戯装置に関し、更に詳しくはカードに付されたカード情報を基にしてパチンコ遊戯を実行するパチンコ遊戯装置に関するものである。」（第１頁右下欄第１５−１８行）
　
（記載２６．）「［本発明の構成］（前記問題点を解決するための手段）本発明の装置は、遊戯情報を取込んでパチンコ玉による遊戯を実行するとともに、遊戯状態に応じた遊戯状態情報を送出するパチンコ機本体を備えたパチンコ遊戯装置であって、カードに付されたカード情報を基にパチンコ機本体に送る遊戯情報を得るとともにパチンコ機本体からの遊戯状態情報を得て前記カード情報の書替えを行うカード取扱部と、前記カードから得られる遊戯情報及びパチンコ機本体からの遊戯状態情報を伝達可能な遊戯情報伝達部と、前記カード取扱部、遊戯情報伝達部及びパチンコ機本体間の情報伝達を行う制御部とを有するものである。」（第２頁右上欄第１３行−左下欄第６行）
　
（記載２７．）「（作用）　以下に上記構成の装置の作用を説明する。　この装置にカード情報が付されたカードが投入されると、カード取扱部はこのカードのカード情報を基に遊戯情報を得る。この遊戯情報は制御部によりパチンコ機本体に送られ、これにより、パチンコ機本体はパチンコ玉の貸出を始めとする各動作を実行するとともに遊戯状態に応じた遊戯状態情報を送出する。　制御部は、パチンコ機本体からの遊戯状態情報及び前記遊戯情報を遊戯情報伝達部に送る。これにより、遊戯情報伝達部から遊戯状態情報及び遊戯情報が遊戯者等に伝達される。　また、制御部はパチンコ機本体からの遊戯状態情報をカード取扱部に送る。カード取扱部は、上記遊戯状態情報を基にカード情報を書替え、以降の使用に供する。」（第２頁左下欄第７行−右下欄第３行）
　
（記載２８．）「第１図及び第２図（ａ），（ｂ）は本発明の第１の実施例装置を示すものである。同図に示すパチンコ遊戯装置１は、パチンコ機本体２と、このパチンコ機本体２の下側部に一体的に組込まれたパチンコ機操作部３とを具備している。　前記パチンコ機本体２は、第２図（ａ）に示すように透明ガラス板４の内部に遊戯面５を設けるとともにこの透明ガラス板４の下方にパチンコ玉収容部６を設け、このパチンコ玉収容部６にパチンコ玉を後述する動作により自動的に貸出すようになっている。　前記パチンコ機操作部３の表面は、添付した図面の第２図（ｂ）に示すように下側に至るほど張り出す傾斜配置に形成されている。そして、このパチンコ機操作部３に操作ハンドル７、後述するカード取扱部１１を構成するカード挿脱孔８及び遊戯情報伝達部１２を構成する表示部９、音声発生部であるスピーカ１０を配置している。」（第２頁右下欄第７行−第３ページ左上欄第５行）
　
（記載２９．）「第２図はパチンコ遊戯装置１の全体構成を示すものである。即ち、前記したパチンコ機本体２には、パチンコ機操作部３から玉数データ等の遊戯情報を取込みこのパチンコ機本体２によるパチンコ玉の自動貸出を始めとするパチンコ遊戯を実行するとともに、パチンコ機本体２の遊戯状態に応じて故障情報、打止情報、使用玉数データ等の遊戯状態情報をパチンコ機操作部３に送出する本体駆動制御部１３が設けられている。
　また、前記パチンコ機操作部３は、予めパチンコ機本体２の動作制御やこのパチンコ機操作部３の各部の動作制御を行うためのプログラムを格納したプログラムメモリ１４と、このプログラムメモリ１４から前記プログラムを取込みこのプログラムに従って該パチンコ機操作部３の各部の制御を実行するとともに、本体駆動制御部１３との間の情報伝達をも行うＣＰＵ１５とから成る制御部１６を有し、この制御部１６に前記カード取扱部１１、遊戯情報伝達部１２及び操作ハンドル７を接続している。
カード取扱部１１は、パチンコ遊戯のための玉数データ等の情報が予め書込まれているカードＣを前記カード挿脱孔８から取込むとともに必要に応じてこのカードＣをカード挿脱孔８に返却するカード駆動部１７と、カード駆動部１７により駆動されるカードＣに対してカード情報の読取りを行い遊戯情報（玉数データ等）を得ると共に、遊戯終了時点で本体駆動部１３からの遊戯状態情報を基にカードＣの情報を書替えるカード読取書込部１８とを具備している。」（第３ページ左上欄第６行−右上欄第１５行）
　
（記載３０．）「パチンコ遊戯を行う遊戯者が予め購入したカードＣをカード挿脱孔８に挿入すると、この装置は動作を開始し、カード駆動部１７はＣＰＵ１５による制御の基にカードＣを装置内に取込む。そして、カード読取書込部１８はＣＰＵ１５による制御の基にカードＣに付された情報を読取り、玉数データ等の遊戯情報を得る。　この遊戯情報はＣＰＵ１５を経て本体駆動制御部１３に送られ、これにより、本体駆動制御部１３によるパチンコ玉収容部６への自動的な玉貸出を始めとするパチンコ遊戯が開始される。　そして、遊戯者が操作ハンドル７を操作することによりこの装置におけるパチンコ遊戯が進行する。　パチンコ機本体２の本体駆動制御装部１３は、パチンコ遊戯の進行に伴う遊戯状態情報、例えば玉数データ、パチンコ機本体２の故障情報、打止情報等をＣＰＵ１５へ送る。」（第３ページ左下欄第５行右下欄第２行）
　
（記載３１．）「次に、本発明の第２の実施例を第３図を参照して説明する。なお、同図に示す装置１Ａにおいて第２図（ａ）に示す装置１と同一の機能を有するものには同一の符号を付し、その詳細な説明は省略する。　第３図に示す装置１Ａが第２図（ａ）に示す装置１と異なる点は、パチンコ機操作部３Ａをパチンコ機本体２とは別体のユニットとしたことである。　即ち、第２図（ａ）に示す装置１の操作ハンドル７を除くカード挿脱孔８，スピーカ９及び表示部１０を表面に設け、且つ、第１図に示す構成を有するパチンコ機操作部３Ａをパチンコ機本体２の上部に別体として配置したものである。　このような構成の装置１Ａによっても既述したパチンコ遊戯装置１と同様な機能を発揮させることができる。」（第４頁左上欄第１２行−右上欄第８行）
　
以上の記載によれば、第４引用例には、つぎの発明（以下「引用発明４」という）が記載されている。ここにおいて、第４引用例の図面は、発明の詳細な説明の記載と対応していないが、図面がむしろ全体として誤って添付されていると解しうることは当業者には明白であるから、発明の詳細な説明のみによって以下の認定は可能であり、図面の存在はこの認定を否定するものではない。
　
「引用発明４」
「カード情報が付されたカードが投入されるとカード情報を基に遊技情報を得るカード取扱部と、この遊技情報が制御部によりパチンコ機本体に送られるとパチンコ機本体が玉貸しを始めとする各動作を実行し、パチンコ機本体は制御部に遊技状態情報を伝達し、制御部はカード取扱部に遊技情報を送りカード取り扱い部は送られた遊技情報を基にカード情報を書き替え以降の使用に供するという動作をするパチンコ遊戯装置であって、
パチンコ機本体２及びパチンコ機本体とは別体のユニットとしたパチンコ機操作部３Ａとからなり、
パチンコ機本体２には、本体駆動制御部１３が設けられており、ＣＰＵ１５を経て遊戯情報を送られることにより、本体駆動制御部１３によるパチンコ玉収容部６への自動的な玉貸出を始めとするパチンコ遊戯が開始され、本体駆動制御部１３は遊戯状態に応じて使用玉数データ等の遊戯状態情報をパチンコ機操作部３に送出し本体駆動制御部１３は玉数データ等をＣＰＵ１５に送り、
パチンコ機操作部３は、パチンコ機本体２の制御やパチンコ機操作部３の各部の動作制御を行うためのプログラムを格納したプログラムメモリ１４と、プログラムにしたがってパチンコ機操作部３の各部の制御を実行するとともに本体駆動制御部１３との情報伝達をも行うＣＰＵ１５とからなる制御部１６を有し、この制御部１６にカード取扱部１１、遊戯情報伝達部１２及び操作ハンドル７が接続され、カード取扱部１１が得た玉数データ等の遊戯情報はＣＰＵ１５を経て本体駆動制御部１３に送られ、これにより、玉収容部６への自動的な玉貸出を始めとするパチンコ遊戯が開始される、パチンコ遊戯装置における制御部１６。」
　
（２−５）「第５引用例」
　また、「取消理由」で刊行物１０として引用した特開平１−１２１９２１号公報（特許異議申し立てにおける甲第１０号証、以下「第５引用例」という）には、次の事項が記載されている。
　
（記載３３．）「従来、この種のシステムにおけるプリンタの電源断検出法においては、ホストコンピュータはビジー信号がオンのときはデータの送信は行わないが、ビジー信号がオフのときはプリンタがレディ状態にあると判断し、データの送信を行っていた。」（第１ページ右下欄第３−８行）
　
（２−６）「第６引用例」
　また、「取消理由」で刊行物１１として引用した特開平１−１４２９２４号公報（特許異議申し立てにおける甲第１１号証、以下「第６引用例」という）には、次の事項が記載されている。
　
（記載３４．）「ＢＵＳＹは、プリンタ装置でデータ受信不可能状態を知らせる信号であり、ＢＵＳＹ中はＨレベルとなる。」（第２頁左下欄最終行−右下欄第２行）
　
（記載３５．）「ここで、一般的なパラレルインターフェイス信号のタイミングを第４図に示す。　第４図において、４１は、プリンタ装置がオンライン（ＳＥＬＥＣＴ＝Ｈレベル）で、データ受信可能状態（ＢＵＳＹ＝Ｌレベル）をホスト装置に知らせ、・・・　・・・プリンタ装置がデータ受信を認識してＢＵＳＹをＨレベルにするまでのタイミングを示している。　４２は、プリンタ装置がデータ受信処理完了後、ＢＵＳＹ状態を解除（ＢＵＳＹ＝Ｌレベル）する」（第２頁右下欄第１４行−第３頁左上欄第６行）
　
（３）対比・判断
３−１．「本件発明１」についての対比
  「本件発明１」と「引用発明」とを対比すると、後者の「入賞口」は前者の「入賞口」に、「金額選択操作部」は「球貸スイッチ」に、「カードの残額」は「カードの残高」に、
また、後者の「排出装置」は、「選択した金額に対応した数量の球を受け皿に排出」するものであるとともに、「賞球を排出」するものであって「球貸出排出と賞球排出とを１つの排出装置で行うようにした」ものであるのだから、前者の「球貸スイッチの操作に基づく貸出球、または入賞口への入賞球に基づく賞球を排出する排出装置」に相当する。
また、後者の「排出装置の制御装置」は、球排出装置を制御するものであるのだから、前者における球排出装置を制御するものである「本体制御装置」と、「球排出装置を制御する制御装置」（以下「球排出制御装置」という）である点において一致する。
　また、後者の「カードの残額」は前者の「カードの残高」に、
そして、後者における「電気的制御装置」は、金額選択操作部が電気的に接続されていて、パチンコ機の球排出装置の制御装置に接続され、球排出装置を該球排出装置の制御装置を経由して作動させるものであるのだから、前者の「リードライタ制御装置」に相当する。
　またこの場合、球排出装置の制御装置に接続されていて、球排出装置を作動させるのであるから、「電気的制御装置」は「球排出装置の制御装置」に、「球貸要求信号」を送信しているといえる。
　さらに、後者の「カードの残額がゼロになった場合、情報書き込み部の解読を不能にして不正行為の防止を図るものであって、表示された残高金額の範囲内で金額選択操作部を操作することにより所望する金額を選択すると、電気的制御装置がパチンコ機の球排出装置を作動して、選択した金額に対応した数量の球をパチンコ機前面の受け皿に排出させる」という点は、カード残額がゼロであると球排出はおこなわれず、残高の範囲内で球排出がおこなわれるのであるから、前者の「カード残高があることを条件として」球貸要求信号が本体制御装置に送信されて球貸が行われることに相当する。
　また、後者のこの点からみて、「電気的制御装置」はカードの残額を確認する機能を有しているといえるので、前者の「リードライタ制御装置」の「カードの残高を確認する」という機能を有しているといえる。
　
　よって、両者は、
「球貸スイッチの操作に基づく貸出球、または入賞口への入賞球に基づく賞球を排出する球排出制御装置と、球貸スイッチを接続し、カードの残高を確認するリードライタ制御装置とを接続してなるパチンコ機であって、球貸スイッチの操作に基づいて、カードの残高があることを条件として球排出制御装置に送信された球貸要求信号を受信することによって、球排出制御装置は所定数の貸出球を払い出す制御を行うパチンコ機」
である点において一致し、
　
（相違点１）「球排出制御装置」が、
「本件発明１」では「本体制御装置」であるのに対し、
「引用発明」では「パチンコ機の球排出装置の制御装置」である点、
　
（相違点２）「リードライタ制御装置」と「排出制御装置」とが、
「本件発明１」においては「交信可能に接続」され、後者から前者への信号として「球貸要求信号」を、また前者から後者への方向の信号として「ビジー信号」を特定し、「本体制御装置は、前記球貸要求信号に基づいて貸出球を排出すると共に、前記リードライター制御装置にビジー信号を送信するようにし、
「排出終了後、ビジー信号を停止させ、前記球貸要求信号が受信されていれば、貸出球の排出処理を繰り返し、前記球貸要求信号の発生が無いときに前記賞球の排出処理を行なう」のに対し、
「引用発明」においては、「球貸機能部の電気的制御装置」は「パチンコ機の球排出装置の制御装置」と「電気的に接続」とされ、前者から後者への信号として「球貸要求信号」が在るとはいえるものの、「後者から前者への信号として何があるのかについては格別特定しておらず、
賞球の排出処理に関しては、「上記した実施例では、セーフ球の発生にもとづく賞球の排出を球貸による球排出に優先させたが、逆に、賞球の排出よりも球貸にもとづく球の排出を優先させて処理するようにしてもよい」（第４ページ左下欄第６-１０行）とし、その実施例では「球貸中に遊技においてセーフ球が発生した場合にはこのセーフ球の発生にもとづく賞球排出を球貸による球排出に割り込ませて優先的に処理するように電気的制御装置のプログラムを設定してある」（第３ページ右下欄第１６-２０行）としている点、
　
において相違する。
  
３−２．「本件発明１」についての判断
（相違点１について）
　「本件発明１」における「本体制御装置」は、「球排出装置を制御する」ものであると請求項１には記載されている。　よってこの「本体制御装置」は「引用発明」における「パチンコ機の球排出装置の制御装置」と「球排出を制御する」ものである点において変わりはなく、「本体」の制御について、「本体制御装置」であることによる構成上の限定は、入賞球の排出制御について以外はなされていないから、「引用発明」との相違は格別のものではなく、相違点１に格別の想到困難性は認められない。
　
（相違点２について）
　２つの制御回路間で、一方の制御回路が他方の制御回路に何らかの動作を要求する信号を送る場合における、信号を受ける側の作動状態情報の伝達を目的として、ＢＵＳＹ信号を用いることは周知の技術である（上記第５引用例（特開平１−１２１９２１号公報）（記載３３．）、第６引用例（特開平１−１４２９２４号公報）（記載３４．、３５．）等参照）。
　また、球排出中に別の球排出を行うことはできないから、２台のパチンコ機のうち、球排出中である側のパチンコ機でない方のパチンコ機にビジー信号を送信して、球排出要求を排出中の球貸機に対して出さないようにする、という点が上記第３引用例（記載２４．）に示されている。
　第３引用例記載のものは、ビジー信号を送信する送信先が、「本件発明２」の場合にはビジー信号の原因である球排出要求をしたパチンコ機であるのに対し、球排出要求を送信していない他方のパチンコ機であるという点で異なるものの、ビジー信号を送信する、という事項は開示されているのであるから、この記載にもとづけば、相違点３のように、球排出要求を送信してくる可能性のある遊技制御装置に対してビジー信号を送信するように構成することに格別困難はない。
　「本件発明１」における「ビジー信号」は、単に「貸出球を排出すると共に」送信され「排出終了後停止」されるとしているに過ぎず、この「ビジー信号」をどのように利用するのかについては、格別限定はなされていないので、効果においても上記一般的状態情報伝達と格別相違しないと解される。
　さらに、貸出球の排出と賞球の排出の優先に関して、「引用発明」が記載されている第１引用例には、賞球排出処理に割り込ませて球貸による球排出を優先させる旨が記載されているのであり、「本件発明１」においても、「球貸の排出中は賞球排出処理を行わず、球貸要求信号が受信されていれば、貸出球の排出処理を繰り返し、前記球貸要求信号の発生が無いときに前記賞球の排出処理を行なう」ということは、賞球排出処理中における球貸要求信号の発生について格別限定がないのであるから、「引用発明」における球貸優先の動作と格別異ならない。
　よって、当業者であれば、一般的周知技術であるビジー信号の送信を「引用発明」に適用して、作動状態情報の伝達を図るという程度のことは、適宜採用しうる事項である。
　
　以上のとおりであり、更に、上記各相違点によりもたらされる効果も、上記各引用例から予想される範囲内のものである。
　
　また、これら相違点による効果も、予測可能な程度のものであり格別のものではない。
　
　よって、「本件発明１」は、「第１引用例」及び第３、５、６引用例に開示される周知の構成に基づいて、容易に発明をすることが出来たものである。
　
３−４．「本件発明２」についての対比
　「本件発明２」は、「本件発明１」の発明特定事項に、更に「本体制御装置とリードライター制御装置とは、ＣＰＵ及びプログラムを記憶したＲＯＭを備えている」ようにしたという事項を加えたものである。
　
　よって、「本件発明２」と上記「３−１．「本件発明１」についての対比」において示した一致点相違点に加えて、
　
（相違点３．）「本件発明２」は「本体制御装置とリードライター制御装置とは、ＣＰＵ及びプログラムを記憶したＲＯＭを備えている」のに対し、
「引用発明」はこれらを備えているかどうか不明である点、
　
を相違点として有する。
　
３−５．「本件発明２」についての判断
　上記３−１．に記載された相違点については、上記「３−２．「本件発明１」についての判断（相違点１）」に記載したとおりである。
　
（相違点３．）については、一般に「制御装置」にＣＰＵ及びＲＯＭを備えさせる、という程度の事項は、「制御」を行う装置であれば適宜なしうる程度の事項であり、そのＣＰＵやＲＯＭの機能構成等を特定していない相違点３．に想到することは、当業者には格別の困難はない。
　　
　よって、「本件発明２」も、「第１引用例」及び第３、５、６引用例に開示される周知構成ならびに上記周知技術に基づいて、容易に発明をすることが出来たものである。
　
３−６．「本件発明３」についての対比
　「本件発明３」は、「本件発明１」または「本件発明２」の発明特定事項に、更に「貸出球はパチンコ機の背面に設けられている上タンクより排出される」点を追加したものである。
　
　これに対して、「引用発明」においても、「球排出装置４は、第４図に示すように、貯留タンク２６から延出した樋２７の途中に設けられ、・・・　・・・樋２７内の球が流下する・・・」（第３ページ左下欄第５−１４行）とあるので、この追加された発明特定事項は、「引用発明」との一致点である。
　
　よって「本件発明３」も、上記３−２．「本件発明１」についての判断、に記載したとおりの理由で、当業者が容易に発明をすることができたものである。
　
４．むすび
  以上のとおりであるから、「本件発明１〜３」は、上記「第１引用例」に記載された発明及び第２〜７引用例の如き周知の事項に基いて、当業者が容易に発明をすることができたと認められ、特許法第２９条第２項の規定により特許を受けることができない。
  したがって、「本件発明１〜３」についての特許は拒絶の査定をしなければならない特許出願に対してされたものと認める。
  よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１８年１月１１日（２００６．１．１１）
【訂正の要旨】
審決（決定）の【理由】欄参照。
（５４）【発明の名称】
パチンコ機
（５７）【特許請求の範囲】
　【請求項１】
入賞口への入賞球に基づく
球貸スイッチの操作に基づく
、前記
、カードの残高を確認する
前記本体制御装置は、
前記
前記
、前記カードの残高があることを条件として
され
前記
排出終了後、ビジー信号を停止させ、
前記
れば
前記
前記
　【請求項２】本体制御装置とリードライター制御装置とは、ＣＰＵ及びプログラムを記憶したＲＯＭを備えていることを特徴とする請求項１記載のパチンコ機。
　【請求項３】貸出球はパチンコ機の背面に設けられている上タンクより排出されることを特徴とする請求項１または請求項２記載のパチンコ機。
【発明の詳細な説明】
　【０００１】
　【発明の属する技術分野】
　本発明は、パチンコ機の遊技球をカードによって貸出すことのできる、パチンコ機に関するものである。
　【０００２】
　【従来の技術】
　一般に、パチンコ店で使用されるパチンコ機の遊技球は、店内のコーナーまたは店内に並べられているパチンコ機の間に介在されてる自動球貸機によって得られる。これらは予め、少額の紙幣、硬貨を用意しておく必要があり、換金をするため一時、遊技を中断せざるを得なかった。
　【０００３】
　近年、上記理由などにより、プリペイド用カード等を利用したカード式の球貸機が提案されている。カード式の球貸機は、カード読取り装置と金額表示兼選択スイッチ等が備わっているもので、カードを球貸機に有するカード挿入口から挿入し、選択スイッチを操作することによって遊技球が所定数払出されるようにされている。このカード式球貸機を隣接するパチンコ機の間またはパチンコ機の上方に設置することを提案したものがある（特開昭６３−１２２４８２号公報参照）。
　【０００４】
　この構成によれば球貸機の同位置に配置されたカード挿入口にカードを挿入して貸出用のスイッチを押すことによって、貸出球は樋を介してパチンコ機の受皿に排出するようにされている。ところが、このカード式球貸機のカード挿入口および操作部はパチンコ機から離れているので、カードの操作を行うときには身体を動かさねばならず遊技を中断することとなる。そこで、１台のパチンコ機専用としてカード式球貸機をパチンコ機の前面枠に配設することを提案したものがある（特開昭６４−３４３９０号公報参照）。これはカードの情報読み取りを専用にすることで遊技中カードを挿入したままにしておくことができ、煩雑な球貸し操作が省けて遊技に専念できる。
　【０００５】
　【発明が解決しようとする課題】
　しかしながら、上記のようにパチンコ機と一体に上記カード式球貸機を設けたものでは、新台入れ替え時において、遊技性とは関係のないカードリードライターおよびその制御装置まで交換することになり改装費が割高になる。
　【０００６】
　本発明は、カード式球貸機と一体となったパチンコ機の入れ替えにおいて、旧リードライター制御装置と新本体制御装置を電気的に接続し、リードライター制御装置およびこの端末装置を再使用するようにしたパチンコ機を提供することを目的とする。
　【０００７】
　【課題を解決するための手段】
　上記目的を達成するために、請求項１の
パチンコ機の
入賞口への入賞球に基づく
球貸スイッチの操作に基づく
、前記
、カードの残高を確認する
前記
前記
、前記カードの残高があることを条件として
され
前記
前記
れば
前記
前記
　【０００８】
　請求項２の発明は、請求項１記載の発明において、本体制御装置とリードライター制御装置とは、ＣＰＵ及びプログラムを記憶したＲＯＭを備えていることを特徴とする。
　【０００９】
　請求項３の発明は、請求項１または請求項２記載の発明において、貸出球はパチンコ機の背面に設けられている上タンクより排出されることを特徴とする。
　【００１０】
　上記のように構成することにより、パチンコ機の入れ替時において、本体制御装置とリードライター制御装置との電気的接続箇所の作業が行え、リードライター制御装置の端末装置がそのまま使用できるので、旧台の一部と新台の一部との交換作業が行える。
　【００１１】
　【発明の実施の形態】
　以下、本発明の実施の形態を添付図面に基いて説明する。図１，図２に示すようにパチンコ機１の前面には遊技球を乗せる上皿２および下皿３が設けられ、上皿２から流下して来る遊技球を発射する電動ハンドル４が図面上右側に取付けられ後述するカード式球貸装置５のカードリードライター５ａ（カード挿入部）が図面上左側に取付けられている。なお、電動ハンドル４は上面に配したタッチスイッチ４ａを押さえることにより起動し側面に突設したつまみ４ｂを回すことによって発射力を調整するものである。また、電動ハンドル４の近くに単発発射用のスイッチ６が取付けられている。
　【００１２】
　図３に示すように、遊技盤７上には入賞口（役物始動口を含む）８が設けられ、ここでは役物始動口８はスロット９を回転させる機構となっており、その回転を止め図柄を停止させるスイッチ１０が電動ハンドル４の側に配置されている。なお、上皿２の排出口２ａからは貸出球および賞球が排出され、上皿２の枠に配置した球抜きボタン１１を押すことによって上皿２の遊技球が下皿３の排出口３ａから出る。図中、カードリードライター５ａの隣りには引出し型の灰皿ボックス１２が具備されている。
　【００１３】
　また、図２に示すように、遊技盤７、上皿２、下皿３および電動ハンドル４は前枠１３に装着されており、矩形状の外枠１４にはその下部前面１４ａにカードリードライター５ａおよび灰皿ボックス１２が取付けられている。ヒンジ１５は外枠１４の上端縁に固着したサポート１５ａと前枠１３の上端に固着した爪側ヒンジ１５ｂとで構成され、同様に、外枠１４の下部前面１４ａ上に固着された爪側ヒンジ１５ｂと前枠１３下端縁に固着されたサポート１５ａとで構成され、それぞれが結合して前枠１３を横方向に回動自在に設けている。したがって、その連結は前枠１３を前方に回動させ、上方に持ち上げることで容易に外せる構造となっている。
　【００１４】
　また、前枠１３にはヒンジ１５と反対側側面にシリンダ錠１６が設けられ、外枠１４には鍵受部材１７が縦方向の２箇所に取付けられており、シリンダ錠１６によって前枠１３およびガラス枠１８を固定、あるいは開放するようにされている。なお、前枠１３の周囲にはスピーカ１９および表示灯２０が取付けられ、後部には機構枠２１が一体に構成され球寄せカバー２２が装着されており、上部に上タンク２３が配置されている。
　【００１５】
　また、図４に示すように、鍵受部材１７には施錠装置２４が係合され、この箇所に枠開放検出スイッチ２５が取付けられており、合鍵によって前枠１３またはガラス枠１８が開放されるとその開放状態を検出するようにされている。上タンク２３からは接続樋２６を介して賞球および貸出球の排出装置２７が接続され排出装置２７の下部に賞球樋２８および球技樋２９が接続されている。賞球樋２８は上皿２への接続樋３０と下皿流下ボックス３１とに接続されている。なお、前枠１３下部には電動ハンドル４によって作動する打球発射装置３２が配設されており、入賞口８と連設している入賞球通路３３には入賞球制御装置３４および入賞検出スイッチ３５が配設されている。
　【００１６】
　ところで、前枠１３の裏側には役物制御装置３６および本体制御装置３７が取付けられ、外枠１４の裏側にはカード式球貸装置５を構成するリードライター制御装置５ｂおよびこの端末装置であるカードリードライター５ａが取付けられている。カードリードライター５ａは前面に突出してビス３８止めされカードリードライター５ａの正面にはカード挿入口５ｃが位置し内部にカード搬送装置３９が組込まれ、表面には金額の表示装置４０、球貸スイッチ４１およびカードの取出スイッチ４２が取付けられている。
　【００１７】
　次に、本体制御装置３７およびカード式球貸装置５の作動を図５ないし図８を参照して説明する。図５Ｒ＞５に示すように、本体制御装置３７の電気回路は役物制御装置３６およびリードライター制御装置５ｂの電気回路と接続され、本体制御装置３７およびリードライター制御装置５ｂは互いのｃｐｕが信号の交換をして作動する回路とされている。そして、本体制御装置３７およびリードライター制御装置５ｂは図６ないし図９に示すルーチンを高速に繰り返し演算実行することにより制御される。
　【００１８】
　また、リードライター制御装置５ｂは主要のｃｐｕがＲＯＭに書き込まれたプログラムにより作動し、球貸スイッチ４１、カードの取出スイッチ４２および枠開放検出スイッチ２５のオン・オフ信号の入力やカードリードライター５ａからの情報を受信してカードリードライター５ａ、カード搬送装置３９および金額の表示装置４０を作動させるものである。一方また、本体制御装置３７に球貸要求信号（ＢＢコール）を送信することによって本体制御装置３７からビジー信号、残金減算要求信号（残金信号）および球貸記憶減算要求信号（
後述する球貸
数の減算を要求する
　【００１９】
　また、本体制御装置３７は主要のｃｐｕがＲＯＭに書き込まれたプログラムにより作動し、入賞検出スイッチ３５、タッチスイッチ４ａおよび単発発射用のスイッチ６のオン・オフ信号の入力や排出装置２７の作動状況を示す信号およびリードライター制御装置５ｂのＢＢコールを受けて打球発射装置３２、スピーカ１９、表示灯２０および排出装置２７を作動させるものである。また、ＢＢコールを受けたとき、リードライター制御装置５ｂに向けてビジー信号、残金減算要求信号および球貸記憶減算要求信号を送信する。
　【００２０】
　次に、リードライター制御装置５ｂの作動を図６ないし図８を参照して説明する。なお、図６ないし図８のターミナルＡ，Ｂ，Ｃ，Ｄ，Ｅは同一のものであり、結線されている。機能的には球貸準備、ＢＢコール出力発生およびカード排出というブロックに分けることができる。図６に示すように、最初にカードリードライター５ａのカード挿入口５ｃにカードが差し込まれているかどうかを判別する（ステップ１）。カードがなければそのまま待機状態になり挿入されていればステップ２（カードを所定の読取り位置に搬送する。）、ステップ３（データを読み取る。）およびステップ４へ進む。ステップ４ではステップ３でのセキュリティを判定し、イエスであれば次のステップ５に進みノウであればカードを排出する（ステップ９）。
　【００２１】
　ステップ５では取出スイッチ４２の作動を判別し、イエスであれば（作動している場合）後述するステップＢ１（図８）に進み、ノウ（作動していない場合）であれば次のステップ６に進み球貸スイッチ４１が作動しているかを判定する。そして、ステップ６の判定がイエスであればステップ７に進み枠開放検出スイッチ２５が作動しているかどうかを判定する。ガラス枠１８等が閉じた状態（ノウ）であれば球貸出しの条件が整うので、球貸記憶の記憶数（
球貸記憶の数値、すなわち球貸記憶数、
　【００２２】
　次に、本体制御装置３７からの信号の有無と残金の有無をチェックしてＢＢコールを送信する手順を述べる。図７に示すステップＡ１ではビジー信号の受信の有無を判定する。受信していない場合（ノウ）であれば、ステップＡ２において球貸記憶減算要求信号の受信の有無を判定しステップＡ３では残金減算要求信号の受信の有無を判定する。ここで両信号が受信されていなければステップＡ４でカードの金額データの残高の有無を判定する。そして、残高があればステップＡ５において球貸記憶の有無のチェックをする。球貸記憶が有ればステップＡ６において再度ビジー信号を受信しているかどうかを確認し、受信していない（ノウ）のであればステップＡ７においてＢＢコールを発生させる。なお、ステップＡ２において球貸記憶減算要求信号が受信されていればステップＡ８に進み球貸記憶の数値
（前記球貸記憶数）
　【００２３】
　また、ステップＡ３において残金減算要求信号が受信されていればステップＡ９に進み残金データを減算したのちステップＡ４（ゼロになっていないことの確認がなされる。）に合流する。一方、ビジー信号が受信されている場合、すなわちステップＡ１においてはステップＡ１０に進み、ステップＡ６においてはステップＡ１１に進みＢＢコールを停止させる。以後カードが挿入されている間上記処理を繰り返す。ステップ５において判定がイエス（カードの取出スイッチが働いている状態）であれば図８に示すステップＢ１に進みカードの排出手順を行う。
　【００２４】
　図８に示すように、先ず、ＢＢコールが発生しているかをここで判定する。発生していなければそのまま進むがもし有ればステップＢ２でＢＢコールを停止させ次に進む。ステップＢ３ではビジー信号を受信しているかをチェックし受けていれば待機状態になり、そうでなければステップＢ４で球貸記憶減算要求信号の有無を判定し無ければそのまま次へ進むが有ればステップＢ５で球貸記憶の数値
（前記球貸記憶数）
（前記球貸記憶数）
（前記球貸記憶数）
　【００２５】
　一方、図７に示すステップＡ４で残金データが０になったことを判定すると、カードに残金０のデータを書き込み（図８ステップＢ１０）、球貸記憶の記憶数
（前記球貸記憶数）
　【００２６】
　本体制御回路においては、図９に示すようにステップＣ１でＢＢコールが受信されているかを判定する。受信されていない場合は、入賞球の有無を判定する（ステップＣ２）。入賞球がない場合はここで待機状態になり（ステップＣ１に戻る。）、入賞球がある場合は再度、ＢＢコールの有無を判定する（ステップＣ３）。ＢＢコールが無ければ賞球排出処理を行い（ステップＣ４）ステップＣ５で処理終了を検知するまで賞球排出を行う。処理終了を検知すればステップＣ１に戻る。
　【００２７】
　ステップＣ３は賞球排出よりも貸出球排出を優先するように組まれている。ＢＢコールを受信した場合、ステップＣ１またはステップＣ３からステップＣ６に進み、ビジー信号を発生させる。そして、ステップＣ７において貸出球排出処理を行う。ステップＣ８では貸出球排出処理が終了したかを判定し、継続中であればステップＣ７へリピートされる。排出処理終了後、ステップＣ９においてビジー信号を停止させ、ステップＣ１０において球貸記憶減算要求信号を発生させる。さらにステップＣ１１において残金減算要求信号を発生させて、ＢＢコールおよび入賞球の待機状態（ステップＣ１，Ｃ２）とする。
　【００２８】
　すなわち、パチンコ機はカードを挿入するとカードリードライター５ａがカードの良否、残高、を判定し（ステップ４）、遊技者の球貸スイッチ４１の操作に基づき（ステップ６）賞球および貸出球の排出装置２７が作動して貸出球排出処理が行われる。この場合、上タンク２３に貯留されている遊技球が貸出球となって接続樋２６を流下し、排出装置２７の下部の賞球樋２８を通って上皿２に供給される。
　【００２９】
　なお、ステップ７はパチンコ機１を修理するためなどでガラス枠１８等を開放しているときに、作業者が誤って球貸し操作を行ってしまっても球貸しがされないように回路を制御したもので、この働きは、ガラス枠１８等の開放が検出された場合にはカードを排出するようにしても良く、枠開放時に球貸出し機能を停止させるものであれば何でも良い。また、本実施例ではカードを挿入した後、カードは残額が０になるか（ステップＡ４参照）または取出スイッチ４２が操作されるか（ステップ５参照）するまでカードリー
ドラ
　【００３０】
　【発明の効果】
　本発明は、以上のように構成したものであるから、パチンコ機の旧台から新台への交換時には、本体制御装置とリードライター制御装置と再接続され、リードライター制御装置およびその端末装置が再利用される。また、賞球及び貸出球は本体制御装置に備えた排出装置によって排出されるので、この再接続によって球貸し側のリードライター制御装置に排出装置を持たないパチンコ機は、再度、本体制御装置に備えた排出装置を使用するので、経費削減を図ることができる。また、本体制御装置は、球貸スイッチの操作に基づいて出力するリードライター制御装置からの球貸要求信号により、排出装置を制御して貸出球の排出を行い、この間、排出中であることを示すビジー信号をリードライター制御装置に送信して後続の球貸要求信号を停止させ、排出終了後に、ビジー信号を停止させるので、機械の誤認動作が減少され、しかも、ビジー信号の有無により間欠に球貸要求信号を送信するので、貸出球の排出が確実になり、また、球貸要求信号がなく入賞球の検出があれば賞球の払出しが行われることにより、信頼性が向上するという効果がある。また、それぞれの本体制御装置及び、リードライター制御装置がＣＰＵ及びＲＯＭを有することで本体制御装置への制御機能の集中化を防げ、パチンコ機の旧台から新台への交換時の作業性の向上が期待できる。さらに、賞球、貸出球は上タンクから排出する構造とするので、この分のコストは低減される。
【図面の簡単な説明】
　【図１】本発明の実施の形態におけるパチンコ機の斜視図である。
　【図２】図１に示すパチンコ機の分割状態を示す斜視図である。
　【図３】図１に示すパチンコ機の正面図である。
　【図４】図１に示すパチンコ機の裏面図である。
　【図５】図１に示すパチンコ機のカード式球貸装置と本体制御装置との結線を示すブロック図である。
　【図６】図５に示すカード式球貸装置の一部フローチャートである。
　【図７】図５に示すカード式球貸装置の一部フローチャートである。
　【図８】図５に示すカード式球貸装置の一部フローチャートである。
　【図９】図５に示す本体制御装置のフローチャートである。
　【符号の説明】
　１　パチンコ機
　５　カード式球貸装置
　５ａ　カード挿入部
　５ｂ　リードライター制御装置
　３７　本体制御装置
　３９　カード搬送装置
　４１　球貸スイッチ
　４２　取出スイッチ